(57)【特許請求の範囲】
【請求項１】
ブレーキ操作子の操作が入力される入力装置と、
少なくとも前記ブレーキ操作子の操作に応じた電気信号に基づいてブレーキ液圧を発生する電動ブレーキアクチュエータと、を備える車両用ブレーキシステムにおいて、
前記電動ブレーキアクチュエータとは別体として構成され、前記ブレーキ操作子を有して操作者により操作される入力装置であって、
前記ブレーキ操作子の前記操作による入力によって液圧を発生するマスタシリンダと、
前記マスタシリンダに並設されるとともに前記マスタシリンダと連通され、前記ブレーキ操作子の操作反力を前記ブレーキ操作子に擬似的に付与するストロークシミュレータと、
を有し、
前記マスタシリンダと前記ストロークシミュレータとが一体となって形成され、
前記マスタシリンダと第１液圧路を介して連通している第１接続ポートと、
前記マスタシリンダと第２液圧路を介して連通している第２接続ポートと、
前記ストロークシミュレータと連通している、前記第２液圧路から分岐した分岐液圧路と、
を有し、
前記第１液圧路の途中には第１遮断弁が設けられ、
前記第２液圧路における前記分岐箇所と前記第２接続ポートとの途中には第２遮断弁が設けられ、
前記分岐液圧路の途中には第３遮断弁が設けられていることを特徴とする、車両用ブレーキシステムの入力装置。
【請求項２】
ブレーキ操作子の操作が入力される入力装置と、
少なくとも前記ブレーキ操作子の操作に応じた電気信号に基づいてブレーキ液圧を発生する電動ブレーキアクチュエータと、を備える車両用ブレーキシステムにおいて、
前記電動ブレーキアクチュエータとは別体として構成され、前記ブレーキ操作子を有して操作者により操作される入力装置であって、
前記ブレーキ操作子の前記操作による入力によって液圧を発生するマスタシリンダと、
前記マスタシリンダに並設されるとともに前記マスタシリンダと連通され、前記ブレーキ操作子の操作反力を前記ブレーキ操作子に擬似的に付与するストロークシミュレータと、
を有し、
前記マスタシリンダと前記ストロークシミュレータとが一体となって形成され、
前記マスタシリンダと第１液圧路を介して連通している第１接続ポートと、
前記マスタシリンダと第２液圧路を介して連通している第２接続ポートと、
前記ストロークシミュレータと連通している、前記第２液圧路から分岐した分岐液圧路と、
を有し、
前記第１液圧路の途中には第１遮断弁が設けられ、
前記第２液圧路における前記分岐箇所と前記第２接続ポートとの途中には第２遮断弁が設けられ、
前記分岐液圧路の途中には第３遮断弁が設けられ、
前記マスタシリンダと前記第１遮断弁との間に第１圧力センサが設けられ、
前記第２遮断弁と前記第２接続ポートとの間に第２圧力センサが設けられていることを特徴とする、車両用ブレーキシステムの入力装置。
【請求項３】
ブレーキ操作子の操作が入力される入力装置と、
少なくとも前記ブレーキ操作子の操作に応じた電気信号に基づいてブレーキ液圧を発生する電動ブレーキアクチュエータと、を備える車両用ブレーキシステムにおいて、
前記電動ブレーキアクチュエータとは別体として構成され、前記ブレーキ操作子を有して操作者により操作される入力装置であって、
前記ブレーキ操作子の前記操作による入力によって液圧を発生するマスタシリンダと、
前記マスタシリンダに並設されるとともに前記マスタシリンダと連通され、前記ブレーキ操作子の操作反力を前記ブレーキ操作子に擬似的に付与するストロークシミュレータと、
を有し、
前記マスタシリンダと前記ストロークシミュレータとが一体となって形成され、
前記マスタシリンダと第１液圧路を介して連通している第１接続ポートと、
前記マスタシリンダと第２液圧路を介して連通している第２接続ポートと、
前記ストロークシミュレータと連通している、前記第２液圧路から分岐した分岐液圧路と、
を有し、
前記第１液圧路の途中には第１遮断弁が設けられ、
前記第２液圧路における前記分岐箇所と前記第２接続ポートとの途中には第２遮断弁が設けられ、
前記分岐液圧路の途中には第３遮断弁が設けられ、
少なくとも前記マスタシリンダ及び前記ストロークシミュレータ内のエアを抜くエア抜き用ブリーダが設けられていることを特徴とする、車両用ブレーキシステムの入力装置。
【請求項４】
ブレーキ操作子の操作が入力される入力装置と、
少なくとも前記ブレーキ操作子の操作に応じた電気信号に基づいてブレーキ液圧を発生する電動ブレーキアクチュエータと、を備える車両用ブレーキシステムにおいて、
前記電動ブレーキアクチュエータとは別体として構成され、前記ブレーキ操作子を有して操作者により操作される入力装置であって、
前記ブレーキ操作子の前記操作による入力によって液圧を発生するマスタシリンダと、
前記マスタシリンダに並設されるとともに前記マスタシリンダと連通され、前記ブレーキ操作子の操作反力を前記ブレーキ操作子に擬似的に付与するストロークシミュレータと、
を有し、
前記マスタシリンダと前記ストロークシミュレータとが一体となって形成され、
前記マスタシリンダと第１液圧路を介して連通している第１接続ポートと、
前記マスタシリンダと第２液圧路を介して連通している第２接続ポートと、
前記ストロークシミュレータと連通している、前記第２液圧路から分岐した分岐液圧路と、
を有し、
前記第１液圧路の途中には第１遮断弁が設けられ、
前記第２液圧路における前記分岐箇所と前記第２接続ポートとの途中には第２遮断弁が設けられ、
前記分岐液圧路の途中には第３遮断弁が設けられ、
前記マスタシリンダにリザーバタンクが付設されていることを特徴とする、車両用ブレーキシステムの入力装置。
【請求項５】
ブレーキ操作子の操作が入力される入力装置と、
少なくとも前記ブレーキ操作子の操作に応じた電気信号に基づいてブレーキ液圧を発生する電動ブレーキアクチュエータと、を備える車両用ブレーキシステムにおいて、
前記電動ブレーキアクチュエータとは別体として構成され、前記ブレーキ操作子を有して操作者により操作される入力装置であって、
前記ブレーキ操作子の前記操作による入力によって液圧を発生するマスタシリンダと、
前記マスタシリンダに並設されるとともに前記マスタシリンダと連通され、前記ブレーキ操作子の操作反力を前記ブレーキ操作子に擬似的に付与するストロークシミュレータと、
を有し、
前記マスタシリンダと前記ストロークシミュレータとが一体となって形成され、
前記マスタシリンダと第１液圧路を介して連通している第１接続ポートと、
前記マスタシリンダと第２液圧路を介して連通している第２接続ポートと、
前記ストロークシミュレータと連通している、前記第２液圧路から分岐した分岐液圧路と、
を有し、
前記第１液圧路の途中には第１遮断弁が設けられ、
前記第２液圧路における前記分岐箇所と前記第２接続ポートとの途中には第２遮断弁が設けられ、
前記分岐液圧路の途中には第３遮断弁が設けられ、
車両のダッシュボードに配置されていることを特徴とする、車両用ブレーキシステムの入力装置。
【請求項６】
前記マスタシリンダと前記第１遮断弁との間に第１圧力センサが設けられ、
前記第２遮断弁と前記第２接続ポートとの間に第２圧力センサが設けられていることを特徴とする、請求項３〜５の何れか１項に記載の車両用ブレーキシステムの入力装置。
【発明の詳細な説明】
【技術分野】
【０００１】
本発明は、車両用ブレーキシステムの入力装置に関する。
【背景技術】
【０００２】
従来、車両（自動車）用のブレーキシステムとしては、例えば、負圧式ブースタや油圧式ブースタ等の倍力装置を備えるものが知られている。また、近年では、電動モータを倍力源として利用する電動倍力装置が知られている（例えば、特許文献１参照）。
【０００３】
この特許文献１に開示された電動倍力装置は、ブレーキペダルの操作によって進退運動する主ピストンと、この主ピストンと相対変位可能に外嵌された筒状のブースタピストンと、電動モータの回転力をブースタピストンにブースタ推力として伝達する、例えばボールねじ等の回転−直動変換機構とを備えている。
【０００４】
この電動倍力装置によれば、主ピストンとブースタピストンとをマスタシリンダのピストンとして利用し、それぞれの前端部をマスタシリンダの圧力室に臨ませることで、操作者によってブレーキペダルから主ピストンに入力される推力と、電動モータからブースタピストンに入力されるブースタ推力とによって、ブレーキ液圧をマスタシリンダ内に発生させることができる。
【先行技術文献】
【特許文献】
【０００５】
【特許文献１】特開２０１０−２３５９４号公報
【発明の概要】
【発明が解決しようとする課題】
【０００６】
しかしながら、特許文献１に記載された電動倍力装置は、操作者のブレーキ操作が入力される入力装置や、ブレーキ操作に応じた電気信号に基づいてブレーキ液圧を発生させる電動ブレーキアクチュエータ等が一つにまとめて組み立てられて、ブレーキペダルの前方に配置されている。このため、前記電動倍力装置は、車両のエンジンや走行用モータ等の構造物が搭載される構造物搭載室内におけるレイアウトの自由度が小さく、しかも、例えば複数車種の車両に搭載する場合には流用が困難で汎用性に欠けることがある。特に、操作者のブレーキ操作が入力される入力装置については、その設置場所がとりわけ限定されることから、小型化が望まれている。
【０００７】
本発明は前記の課題に鑑みて為されたものであり、その目的は、従来の車両用ブレーキシステムと比較して小型化され、さらには汎用性を向上させた車両用ブレーキシステムの入力装置を提供することにある。
【課題を解決するための手段】
【０００８】
本発明者らは前記課題を解決するべく鋭意検討した結果、少なくともマスタシリンダ及びストロークシミュレータを一体化して形成することにより、前記課題を解決することができることを見出し、本発明を完成させた。
【０００９】
即ち、本発明の車両用ブレーキシステムの入力装置は、ブレーキ操作子の操作が入力される入力装置と、少なくとも前記ブレーキ操作子の操作に応じた電気信号に基づいてブレーキ液圧を発生する電動ブレーキアクチュエータと、を備える車両用ブレーキシステムにおいて、前記電動ブレーキアクチュエータとは別体として構成され、前記ブレーキ操作子を有して操作者により操作される入力装置であって、前記ブレーキ操作子の前記操作による入力によって液圧を発生するマスタシリンダと、前記マスタシリンダに並設されるとともに前記マスタシリンダと連通され、前記ブレーキ操作子の操作反力を前記ブレーキ操作子に擬似的に付与するストロークシミュレータと、を有し、前記マスタシリンダと前記ストロークシミュレータとが一体となって形成され、前記マスタシリンダと第１液圧路を介して連通している第１接続ポートと、前記マスタシリンダと第２液圧路を介して連通している第２接続ポートと、前記ストロークシミュレータと連通している、前記第２液圧路から分岐した分岐液圧路と、を有し、前記第１液圧路の途中には第１遮断弁が設けられ、前記第２液圧路における前記分岐箇所と前記第２接続ポートとの途中には第２遮断弁が設けられ、前記分岐液圧路の途中には第３遮断弁が設けられていることを特徴とする（請求項１）。
【００１０】
請求項１に係る発明によれば、マスタシリンダとストロークシミュレータとの間の流路を短くすることが可能となり、さらにはマスタシリンダとストロークシミュレータを備える入力装置を小型化することができる。また、このように小型化した車両用ブレーキシステムの入力装置は、構造物搭載室内の搭載スペースがガソリン自動車と比べて余裕の少ないハイブリッド自動車や電気自動車等にも好適に搭載することができる。その結果、ガソリン自動車やハイブリッド自動車、電気自動車等との間で部品を共通化することができ、部品の汎用性が高まるため製造コストの削減にもなる。
【００１２】
また、請求項１に係る発明によれば、電源が切断された場合であっても適切にブレーキ操作を行うことができ、また、ブレーキ操作子に対して適当な反力を与えることができる。
【００１３】
また、本発明の車両用ブレーキシステムの入力装置は、ブレーキ操作子の操作が入力される入力装置と、少なくとも前記ブレーキ操作子の操作に応じた電気信号に基づいてブレーキ液圧を発生する電動ブレーキアクチュエータと、を備える車両用ブレーキシステムにおいて、前記電動ブレーキアクチュエータとは別体として構成され、前記ブレーキ操作子を有して操作者により操作される入力装置であって、前記ブレーキ操作子の前記操作による入力によって液圧を発生するマスタシリンダと、前記マスタシリンダに並設されるとともに前記マスタシリンダと連通され、前記ブレーキ操作子の操作反力を前記ブレーキ操作子に擬似的に付与するストロークシミュレータと、を有し、前記マスタシリンダと前記ストロークシミュレータとが一体となって形成され、前記マスタシリンダと第１液圧路を介して連通している第１接続ポートと、前記マスタシリンダと第２液圧路を介して連通している第２接続ポートと、前記ストロークシミュレータと連通している、前記第２液圧路から分岐した分岐液圧路と、を有し、前記第１液圧路の途中には第１遮断弁が設けられ、前記第２液圧路における前記分岐箇所と前記第２接続ポートとの途中には第２遮断弁が設けられ、前記分岐液圧路の途中には第３遮断弁が設けられ、前記マスタシリンダと前記第１遮断弁との間に第１圧力センサが設けられ、前記第２遮断弁と前記第２接続ポートとの間に第２圧力センサが設けられていることを特徴とする（請求項２）。
【００１４】
請求項２に係る発明によれば、マスタシリンダとストロークシミュレータとの間の流路を短くすることが可能となり、さらにはマスタシリンダとストロークシミュレータを備える入力装置を小型化することができる。また、このように小型化した車両用ブレーキシステムの入力装置は、構造物搭載室内の搭載スペースがガソリン自動車と比べて余裕の少ないハイブリッド自動車や電気自動車等にも好適に搭載することができる。その結果、ガソリン自動車やハイブリッド自動車、電気自動車等との間で部品を共通化することができ、部品の汎用性が高まるため製造コストの削減にもなる。また、請求項２に係る発明によれば、電源が切断された場合であっても適切にブレーキ操作を行うことができ、また、ブレーキ操作子に対して適当な反力を与えることができる。さらに、請求項２に係る発明によれば、二つの圧力センサを用いることにより、適切なブレーキ制御を行うことができる。
【００１５】
また、本発明の車両用ブレーキシステムの入力装置は、ブレーキ操作子の操作が入力される入力装置と、少なくとも前記ブレーキ操作子の操作に応じた電気信号に基づいてブレーキ液圧を発生する電動ブレーキアクチュエータと、を備える車両用ブレーキシステムにおいて、前記電動ブレーキアクチュエータとは別体として構成され、前記ブレーキ操作子を有して操作者により操作される入力装置であって、前記ブレーキ操作子の前記操作による入力によって液圧を発生するマスタシリンダと、前記マスタシリンダに並設されるとともに前記マスタシリンダと連通され、前記ブレーキ操作子の操作反力を前記ブレーキ操作子に擬似的に付与するストロークシミュレータと、を有し、前記マスタシリンダと前記ストロークシミュレータとが一体となって形成され、前記マスタシリンダと第１液圧路を介して連通している第１接続ポートと、前記マスタシリンダと第２液圧路を介して連通している第２接続ポートと、前記ストロークシミュレータと連通している、前記第２液圧路から分岐した分岐液圧路と、を有し、前記第１液圧路の途中には第１遮断弁が設けられ、前記第２液圧路における前記分岐箇所と前記第２接続ポートとの途中には第２遮断弁が設けられ、前記分岐液圧路の途中には第３遮断弁が設けられ、少なくとも前記マスタシリンダ及び前記ストロークシミュレータ内のエアを抜くエア抜き用ブリーダが設けられていることを特徴とする（請求項３）。
【００１６】
請求項３に係る発明によれば、マスタシリンダとストロークシミュレータとの間の流路を短くすることが可能となり、さらにはマスタシリンダとストロークシミュレータを備える入力装置を小型化することができる。また、このように小型化した車両用ブレーキシステムの入力装置は、構造物搭載室内の搭載スペースがガソリン自動車と比べて余裕の少ないハイブリッド自動車や電気自動車等にも好適に搭載することができる。その結果、ガソリン自動車やハイブリッド自動車、電気自動車等との間で部品を共通化することができ、部品の汎用性が高まるため製造コストの削減にもなる。また、請求項３に係る発明によれば、電源が切断された場合であっても適切にブレーキ操作を行うことができ、また、ブレーキ操作子に対して適当な反力を与えることができる。さらに、請求項３に係る発明によれば、少なくともマスタシリンダ及びストロークシミュレータ内に混入したエアを抜くことができる。
【００１７】
また、本発明の車両用ブレーキシステムの入力装置は、ブレーキ操作子の操作が入力される入力装置と、少なくとも前記ブレーキ操作子の操作に応じた電気信号に基づいてブレーキ液圧を発生する電動ブレーキアクチュエータと、を備える車両用ブレーキシステムにおいて、前記電動ブレーキアクチュエータとは別体として構成され、前記ブレーキ操作子を有して操作者により操作される入力装置であって、前記ブレーキ操作子の前記操作による入力によって液圧を発生するマスタシリンダと、前記マスタシリンダに並設されるとともに前記マスタシリンダと連通され、前記ブレーキ操作子の操作反力を前記ブレーキ操作子に擬似的に付与するストロークシミュレータと、を有し、前記マスタシリンダと前記ストロークシミュレータとが一体となって形成され、前記マスタシリンダと第１液圧路を介して連通している第１接続ポートと、前記マスタシリンダと第２液圧路を介して連通している第２接続ポートと、前記ストロークシミュレータと連通している、前記第２液圧路から分岐した分岐液圧路と、を有し、前記第１液圧路の途中には第１遮断弁が設けられ、前記第２液圧路における前記分岐箇所と前記第２接続ポートとの途中には第２遮断弁が設けられ、前記分岐液圧路の途中には第３遮断弁が設けられ、前記マスタシリンダにリザーバタンクが付設されていることを特徴とする（請求項４）。
【００１８】
請求項４に係る発明によれば、マスタシリンダとストロークシミュレータとの間の流路を短くすることが可能となり、さらにはマスタシリンダとストロークシミュレータを備える入力装置を小型化することができる。また、このように小型化した車両用ブレーキシステムの入力装置は、構造物搭載室内の搭載スペースがガソリン自動車と比べて余裕の少ないハイブリッド自動車や電気自動車等にも好適に搭載することができる。その結果、ガソリン自動車やハイブリッド自動車、電気自動車等との間で部品を共通化することができ、部品の汎用性が高まるため製造コストの削減にもなる。また、請求項４に係る発明によれば、電源が切断された場合であっても適切にブレーキ操作を行うことができ、また、ブレーキ操作子に対して適当な反力を与えることができる。さらに、請求項４に係る発明によれば、搭載スペースが限られたハイブリッド自動車や電気自動車等においてもリザーバタンクを確実に配置することができる。また、部品の汎用性を高めることもできる。さらには、構造物搭載室内の無駄な空間を削減することができ、車両の小型化を図ることができる。
【００１９】
また、本発明の車両用ブレーキシステムの入力装置は、ブレーキ操作子の操作が入力される入力装置と、少なくとも前記ブレーキ操作子の操作に応じた電気信号に基づいてブレーキ液圧を発生する電動ブレーキアクチュエータと、を備える車両用ブレーキシステムにおいて、前記電動ブレーキアクチュエータとは別体として構成され、前記ブレーキ操作子を有して操作者により操作される入力装置であって、前記ブレーキ操作子の前記操作による入力によって液圧を発生するマスタシリンダと、前記マスタシリンダに並設されるとともに前記マスタシリンダと連通され、前記ブレーキ操作子の操作反力を前記ブレーキ操作子に擬似的に付与するストロークシミュレータと、を有し、前記マスタシリンダと前記ストロークシミュレータとが一体となって形成され、前記マスタシリンダと第１液圧路を介して連通している第１接続ポートと、前記マスタシリンダと第２液圧路を介して連通している第２接続ポートと、前記ストロークシミュレータと連通している、前記第２液圧路から分岐した分岐液圧路と、を有し、前記第１液圧路の途中には第１遮断弁が設けられ、前記第２液圧路における前記分岐箇所と前記第２接続ポートとの途中には第２遮断弁が設けられ、前記分岐液圧路の途中には第３遮断弁が設けられ、車両のダッシュボードに配置されていることを特徴とする（請求項５）。
【００２０】
請求項５に係る発明によれば、マスタシリンダとストロークシミュレータとの間の流路を短くすることが可能となり、さらにはマスタシリンダとストロークシミュレータを備える入力装置を小型化することができる。また、このように小型化した車両用ブレーキシステムの入力装置は、構造物搭載室内の搭載スペースがガソリン自動車と比べて余裕の少ないハイブリッド自動車や電気自動車等にも好適に搭載することができる。その結果、ガソリン自動車やハイブリッド自動車、電気自動車等との間で部品を共通化することができ、部品の汎用性が高まるため製造コストの削減にもなる。また、請求項５に係る発明によれば、電源が切断された場合であっても適切にブレーキ操作を行うことができ、また、ブレーキ操作子に対して適当な反力を与えることができる。さらに、請求項５に係る発明によれば、例えば操作者によるブレーキ操作子への操作を、より確実に入力装置に伝達させることができる。また、本発明の車両用ブレーキシステムの入力装置を、より確実に車両に配置（設置）することができる。
【００２１】
また、本発明の車両用ブレーキシステムの入力装置は、前記マスタシリンダと前記第１遮断弁との間に第１圧力センサが設けられ、前記第２遮断弁と前記第２接続ポートとの間に第２圧力センサが設けられていることを特徴とする（請求項６）。
【００２２】
請求項６に係る発明によれば、二つの圧力センサを用いることにより、適切なブレーキ制御を行うことができる。
【発明の効果】
【００２３】
本発明によれば、マスタシリンダとストロークシミュレータとの間の流路を短くすることが可能となり、さらにはマスタシリンダとストロークシミュレータを備える入力装置を小型化することができる。また、このように小型化した車両用ブレーキシステムの入力装置は、構造物搭載室内の搭載スペースがガソリン自動車と比べて余裕の少ないハイブリッド自動車や電気自動車等にも好適に搭載することができる。その結果、ガソリン自動車やハイブリッド自動車、電気自動車等との間で部品を共通化することができ、部品の汎用性が高まるため製造コストの削減にもなる。
【図面の簡単な説明】
【００２４】
【図１】本実施形態に係る車両用ブレーキシステムにおける構成要素の配置を概略的に示す車両全部の部分拡大平面図である。
【図２】本実施形態に係る車両用ブレーキシステムの概略構成図である。
【図３】本実施形態に係る車両用ブレーキシステムの入力装置の概略拡大図であり、（ａ）はその斜視図、（ｂ）はその平面図である。
【図４】本実施形態に係る車両用ブレーキシステムの入力装置を車両のダッシュボードに固定した様子を示す概略図である。
【発明を実施するための形態】
【００２５】
本実施形態について、適宜図面を参照しながら説明する。
なお、以下の説明における前後上下左右の方向は、車両の前後上下左右の方向に一致させた、図１に示す前後上下左右の方向を基準とする。
【００２６】
（全体構成）
図１に示す車両用ブレーキシステム１０は、通常時用として、電気信号を伝達してブレーキを作動させるバイ・ワイヤ（By Wire）式のブレーキシステムと、フェイルセイフ時用として、油圧を伝達してブレーキを作動させる旧来の油圧式のブレーキシステムの双方を備えて構成される。なお、本実施形態においては右ハンドルの車両を例に説明しているが、左ハンドルの車両であっても、本実施形態を同様に適用できる。また、車両用ブレーキシステム１０は、前輪駆動、後輪駆動、四輪駆動のいずれにも適用可能である。
【００２７】
このため、車両用ブレーキシステム１０は、操作者のブレーキ操作が入力される入力装置１４と、少なくとも前記ブレーキ操作に応じた電気信号に基づいてブレーキ液圧を発生させる電動ブレーキアクチュエータとしてのモータシリンダ装置１６と、モータシリンダ装置１６で発生したブレーキ液圧に基づいて車両の挙動の安定化を支援する車両挙動安定化装置としてのビークルスタビリティアシスト装置１８（以下、ＶＳＡ装置１８という、ＶＳＡ；登録商標）とを備えて構成されている。
なお、ＶＳＡ装置１８に代えて、ブレーキ時の車輪ロックを防ぐＡＢＳ（アンチロック・ブレーキ・システム）機能のみを有するＡＢＳ装置を接続してもよい。
【００２８】
これらの入力装置１４、モータシリンダ装置１６、及び、ＶＳＡ装置１８は、車両Ｖのダッシュボード２の前方に設けられたエンジンや走行用モータ等の構造物３が搭載される構造物搭載室Ｒに、配管チューブ２２ａ〜２２ｆを介して互いに分離して配置されている。このように分離して構成されることで、各装置（入力装置１４、モータシリンダ装置１６、ＶＳＡ装置１８）の汎用性を向上して異なる車種に適用しやすくなる。また、バイ・ワイヤ式のブレーキシステムとして、入力装置１４とモータシリンダ装置１６とは、図示しないハーネスによって図示しない制御手段と電気的に接続されている。
【００２９】
図２は、車両用ブレーキシステム１０の概略構成図である。
液圧路について説明すると、図２中の連結点Ａ１を基準として、入力装置１４の接続ポート２０ａと連結点Ａ１とが第１配管チューブ２２ａによって接続され、また、モータシリンダ装置１６の出力ポート２４ａと連結点Ａ１とが第２配管チューブ２２ｂによって接続され、さらに、ＶＳＡ装置１８の導入ポート２６ａと連結点Ａ１とが第３配管チューブ２２ｃによって接続されている。
【００３０】
図２中の他の連結点Ａ２を基準として、入力装置１４の他の接続ポート２０ｂと連結点Ａ２とが第４配管チューブ２２ｄによって接続され、また、モータシリンダ装置１６の他の出力ポート２４ｂと連結点Ａ２とが第５配管チューブ２２ｅによって接続され、さらに、ＶＳＡ装置１８の他の導入ポート２６ｂと連結点Ａ２とが第６配管チューブ２２ｆによって接続されている。
【００３１】
ＶＳＡ装置１８には、複数の導出ポート２８ａ〜２８ｄが設けられる。第１導出ポート２８ａは、第７配管チューブ２２ｇによって右側前輪に設けられたディスクブレーキ機構３０ａのホイールシリンダ３２ＦＲと接続される。第２導出ポート２８ｂは、第８配管チューブ２２ｈによって左側後輪に設けられたディスクブレーキ機構３０ｂのホイールシリンダ３２ＲＬと接続される。第３導出ポート２８ｃは、第９配管チューブ２２ｉによって右側後輪に設けられたディスクブレーキ機構３０ｃのホイールシリンダ３２ＲＲと接続される。第４導出ポート２８ｄは、第１０配管チューブ２２ｊによって左側前輪に設けられたディスクブレーキ機構３０ｄのホイールシリンダ３２ＦＬと接続される。
【００３２】
この場合、各導出ポート２８ａ〜２８ｄに接続される配管チューブ２２ｇ〜２２ｊによってブレーキ液がディスクブレーキ機構３０ａ〜３０ｄの各ホイールシリンダ３２ＦＲ、３２ＲＬ、３２ＲＲ、３２ＦＬに対して供給され、各ホイールシリンダ３２ＦＲ、３２ＲＬ、３２ＲＲ、３２ＦＬ内の液圧が上昇することにより、各ホイールシリンダ３２ＦＲ、３２ＲＬ、３２ＲＲ、３２ＦＬが作動し、対応する車輪（右側前輪、左側後輪、右側後輪、左側前輪）に対して制動力が付与される。
【００３３】
なお、車両用ブレーキシステム１０は、例えば、エンジン（内燃機関）のみによって駆動される自動車、ハイブリッド自動車、電気自動車、燃料電池自動車等を含む各種車両に対して搭載可能に設けられる。
【００３４】
入力装置１４は、運転者によるブレーキペダル１２の操作によって液圧を発生可能なタンデム式のマスタシリンダ３４と、前記マスタシリンダ３４に付設された第１リザーバ３６とを有する。このマスタシリンダ３４のシリンダチューブ３８内には、前記シリンダチューブ３８の軸方向に沿って所定間隔離間する２つのピストン４０ａ、４０ｂが摺動自在に配設される。一方のピストン４０ａは、ブレーキペダル１２に近接して配置され、プッシュロッド４２を介してブレーキペダル１２と連結される。また、他方のピストン４０ｂは、一方のピストン４０ａよりもブレーキペダル１２から離間して配置される。
【００３５】
この一方及び他方のピストン４０ａ、４０ｂの外周面には、環状段部を介して一対のピストンパッキン４４ａ、４４ｂがそれぞれ装着される。一対のピストンパッキン４４ａ、４４ｂの間には、それぞれ、後記するサプライポート４６ａ、４６ｂと連通する背室４８ａ、４８ｂが形成される。また、一方及び他方のピストン４０ａ、４０ｂとの間には、ばね部材５０ａが配設され、他方のピストン４０ｂとシリンダチューブ３８の側端部との間には、他のばね部材５０ｂが配設される。
なお、ピストン４０ａ、４０ｂの外周面にピストンパッキン４４ａ、４４ｂを設ける代わりに、シリンダチューブ３８の内周面にパッキンを配設してもよい。
【００３６】
マスタシリンダ３４のシリンダチューブ３８には、２つのサプライポート４６ａ、４６ｂと、２つのリリーフポート５２ａ、５２ｂと、２つの出力ポート５４ａ、５４ｂとが設けられる。この場合、各サプライポート４６ａ（４６ｂ）及び各リリーフポート５２ａ（５２ｂ）は、それぞれ合流して第１リザーバ３６内の図示しないリザーバ室と連通するように設けられる。
【００３７】
また、マスタシリンダ３４のシリンダチューブ３８内には、運転者（操作者）がブレーキペダル１２を踏み込む踏力に対応したブレーキ液圧を発生させる第１圧力室５６ａ及び第２圧力室５６ｂが設けられる。第１圧力室５６ａは、第１液圧路５８ａを介して接続ポート２０ａと連通するように設けられ、第２圧力室５６ｂは、第２液圧路５８ｂを介して他の接続ポート２０ｂと連通するように設けられる。
【００３８】
マスタシリンダ３４と接続ポート２０ａとの間であって、第１液圧路５８ａの上流側には圧力センサＰｍが配設されると共に、第１液圧路５８ａの下流側には、ノーマルオープンタイプ（常開型）のソレノイドバルブからなる第１遮断弁６０ａが設けられる。この圧力センサＰｍは、第１液圧路５８ａ上において、第１遮断弁６０ａよりもマスタシリンダ３４側の上流の液圧を検知するものである。
【００３９】
マスタシリンダ３４と他の接続ポート２０ｂとの間であって、第２液圧路５８ｂの上流側には、ノーマルオープンタイプ（常開型）のソレノイドバルブからなる第２遮断弁６０ｂが設けられると共に、第２液圧路５８ｂの下流側には、圧力センサＰｐが設けられる。この圧力センサＰｐは、第２液圧路５８ｂ上において、第２遮断弁６０ｂよりもホイールシリンダ３２ＦＲ、３２ＲＬ、３２ＲＲ、３２ＦＬ側の下流側の液圧を検知するものである。
【００４０】
この第１遮断弁６０ａ及び第２遮断弁６０ｂにおけるノーマルオープンとは、ノーマル位置（消磁（非通電）時の弁体の位置）が開位置の状態（常時開）となるように構成されたバルブをいう。なお、図２において、第１遮断弁６０ａ及び第２遮断弁６０ｂは励磁時の状態を示す（後記する第３遮断弁６２も同様）。
【００４１】
マスタシリンダ３４と第２遮断弁６０ｂとの間の第２液圧路５８ｂには、前記第２液圧路５８ｂから分岐する分岐液圧路５８ｃが設けられ、前記分岐液圧路５８ｃには、ノーマルクローズタイプ（常閉型）のソレノイドバルブからなる第３遮断弁６２と、ストロークシミュレータ６４とが直列に接続される。この第３遮断弁６２におけるノーマルクローズとは、ノーマル位置（消磁（非通電）時の弁体の位置）が閉位置の状態（常時閉）となるように構成されたバルブをいう。
【００４２】
このストロークシミュレータ６４は、第１遮断弁６０ａ及び第２遮断弁６０ｂの遮断時に、ブレーキペダル１２の操作に応じた反力とストロークとを生じさせる装置である。ストロークシミュレータ６４は、前記のように分岐液圧路５８ｃ及び第２液圧路５８ｂを介してマスタシリンダ３４に接続されている。さらに、ストロークシミュレータ６４には、分岐液圧路５８ｃに連通する液圧室６５が設けられ、前記液圧室６５を介して、マスタシリンダ３４の第２圧力室５６ｂから導出されるブレーキ液（ブレーキフルード）が収容可能に設けられる。
【００４３】
また、ストロークシミュレータ６４は、互いに直列に配置されたばね定数の高い第１リターンスプリング６６ａとばね定数の低い第２リターンスプリング６６ｂと、前記第１及び第２リターンスプリング６６ａ、６６ｂによって付勢されるシミュレータピストン６８とを備え、ブレーキペダル１２の踏み込み前期時にペダル反力の増加勾配を低く設定し、踏み込み後期時にペダル反力を高く設定してブレーキペダル１２のペダルフィーリングを既存のマスタシリンダと同等となるように設けられている。
【００４４】
液圧路は、大別すると、マスタシリンダ３４の第１圧力室５６ａと複数のホイールシリンダ３２ＦＲ、３２ＲＬとを接続する第１液圧系統７０ａと、マスタシリンダ３４の第２圧力室５６ｂと複数のホイールシリンダ３２ＲＲ、３２ＦＬとを接続する第２液圧系統７０ｂとから構成される。
【００４５】
第１液圧系統７０ａは、入力装置１４におけるマスタシリンダ３４（シリンダチューブ３８）の出力ポート５４ａと接続ポート２０ａとを接続する第１液圧路５８ａと、入力装置１４の接続ポート２０ａとモータシリンダ装置１６の出力ポート２４ａとを接続する配管チューブ２２ａ、２２ｂと、モータシリンダ装置１６の出力ポート２４ａとＶＳＡ装置１８の導入ポート２６ａとを接続する配管チューブ２２ｂ、２２ｃと、ＶＳＡ装置１８の導出ポート２８ａ、２８ｂと各ホイールシリンダ３２ＦＲ、３２ＲＬとをそれぞれ接続する配管チューブ２２ｇ、２２ｈとによって構成される。
【００４６】
第２液圧系統７０ｂは、入力装置１４におけるマスタシリンダ３４（シリンダチューブ３８）の出力ポート５４ｂと他の接続ポート２０ｂとを接続する第２液圧路５８ｂと、入力装置１４の他の接続ポート２０ｂとモータシリンダ装置１６の出力ポート２４ｂとを接続する配管チューブ２２ｄ、２２ｅと、モータシリンダ装置１６の出力ポート２４ｂとＶＳＡ装置１８の導入ポート２６ｂとを接続する配管チューブ２２ｅ、２２ｆと、ＶＳＡ装置１８の導出ポート２８ｃ、２８ｄと各ホイールシリンダ３２ＲＲ、３２ＦＬとをそれぞれ接続する配管チューブ２２ｉ、２２ｊとを有する。
【００４７】
この結果、液圧路が第１液圧系統７０ａと第２液圧系統７０ｂとによって構成されることにより、各ホイールシリンダ３２ＦＲ、３２ＲＬと各ホイールシリンダ３２ＲＲ、３２ＦＬとをそれぞれ独立して作動させ、相互に独立した制動力を発生させることができる。
【００４８】
モータシリンダ装置１６は、電動モータ７２及び駆動力伝達部７３を備えたアクチュエータ機構７４と、アクチュエータ機構７４によって付勢されるシリンダ機構７６とを有する。また、アクチュエータ機構７４の駆動力伝達部７３は、電動モータ７２の回転駆動力を伝達するギヤ機構（減速機構）７８と、この回転駆動力を直線方向駆動力に変換する、ボールねじ軸８０ａ及びボール８０ｂを含むボールねじ構造体８０とを有している。
【００４９】
シリンダ機構７６は、略円筒状のシリンダ本体８２と、前記シリンダ本体８２に付設された第２リザーバ８４とを有する。第２リザーバ８４は、入力装置１４のマスタシリンダ３４に付設された第１リザーバ３６と配管チューブ８６で接続され、第１リザーバ３６内に貯留されたブレーキ液が配管チューブ８６を介して第２リザーバ８４内に供給されるように設けられる。
【００５０】
シリンダ本体８２内には、前記シリンダ本体８２の軸方向に沿って所定間隔離間する第１スレーブピストン８８ａ及び第２スレーブピストン８８ｂが摺動自在に配設される。第１スレーブピストン８８ａは、ボールねじ構造体８０側に近接して配置され、ボールねじ軸８０ａの一端部に当接して前記ボールねじ軸８０ａと一体的に矢印Ｘ１又はＸ２方向に変位する。また、第２スレーブピストン８８ｂは、第１スレーブピストン８８ａよりもボールねじ構造体８０側から離間して配置される。
【００５１】
この第１及び第２スレーブピストン８８ａ、８８ｂの外周面には、環状段部を介して一対のスレーブピストンパッキン９０ａ、９０ｂがそれぞれ装着される。一対のスレーブピストンパッキン９０ａ、９０ｂの間には、それぞれ、後記するリザーバポート９２ａ、９２ｂとそれぞれ連通する第１背室９４ａ及び第２背室９４ｂが形成される。また、第１及び第２スレーブピストン８８ａ、８８ｂとの間には、第１リターンスプリング９６ａが配設され、第２スレーブピストン８８ｂとシリンダ本体８２の側端部と間には、第２リターンスプリング９６ｂが配設される。
【００５２】
シリンダ機構７６のシリンダ本体８２には、２つのリザーバポート９２ａ、９２ｂと、２つの出力ポート２４ａ、２４ｂとが設けられる。この場合、リザーバポート９２ａ（９２ｂ）は、第２リザーバ８４内の図示しないリザーバ室と連通するように設けられる。
【００５３】
また、シリンダ本体８２内には、出力ポート２４ａからホイールシリンダ３２ＦＲ、３２ＲＬ側へ出力されるブレーキ液圧を発生させる第１液圧室９８ａと、他の出力ポート２４ｂからホイールシリンダ３２ＲＲ、３２ＦＬ側へ出力されるブレーキ液圧を発生させる第２液圧室９８ｂが設けられる。
【００５４】
なお、第１スレーブピストン８８ａと第２スレーブピストン８８ｂとの間には、第１スレーブピストン８８ａと第２スレーブピストン８８ｂの最大距離と最小距離とを規制する規制手段１００が設けられ、さらに、第２スレーブピストン８８ｂには、前記第２スレーブピストン８８ｂの摺動範囲を規制して、第１スレーブピストン８８ａ側へのオーバーリターンを阻止するストッパピン１０２が設けられ、これによって、特に、マスタシリンダ３４で発生したブレーキ液圧で制動するときのバックアップ時において、１系統の失陥時に他系統の失陥が防止される。
【００５５】
ＶＳＡ装置１８は、周知のものからなり、右側前輪及び左側後輪のディスクブレーキ機構３０ａ、３０ｂ（ホイールシリンダ３２ＦＲ、ホイールシリンダ３２ＲＬ）に接続された第１液圧系統７０ａを制御する第１ブレーキ系１１０ａと、右側後輪及び左側前輪のディスクブレーキ機構３０ｃ、３０ｄ（ホイールシリンダ３２ＲＲ、ホイールシリンダ３２ＦＬ）に接続された第２液圧系統７０ｂを制御する第２ブレーキ系１１０ｂとを有する。なお、第１ブレーキ系１１０ａは、左側前輪及び右側前輪に設けられたディスクブレーキ機構に接続された液圧系統で、第２ブレーキ系１１０ｂは、左側後輪及び右側後輪に設けられたディスクブレーキ機構に接続された液圧系統であってもよい。さらに、第１ブレーキ系１１０ａは、車体片側の右側前輪及び右側後輪に設けられたディスクブレーキ機構に接続された液圧系統からなり、第２ブレーキ系１１０ｂは、車体片側の左側前輪及び左側後輪に設けられたディスクブレーキ機構に接続された液圧系統であってもよい。
【００５６】
この第１ブレーキ系１１０ａ及び第２ブレーキ系１１０ｂは、それぞれ同一構造からなるため、第１ブレーキ系１１０ａと第２ブレーキ系１１０ｂで対応するものには同一の参照符号を付していると共に、第１ブレーキ系１１０ａの説明を中心にして、第２ブレーキ系１１０ｂの説明を括弧書きで適宜付記する。
【００５７】
第１ブレーキ系１１０ａ（第２ブレーキ系１１０ｂ）は、ホイールシリンダ３２ＦＲ、３２ＲＬ（３２ＲＲ、３２ＦＬ）に対して、共通する第１共通液圧路１１２及び第２共通液圧路１１４を有する。ＶＳＡ装置１８は、導入ポート２６ａと第１共通液圧路１１２との間に配置されたノーマルオープンタイプのソレノイドバルブからなるレギュレータバルブ１１６と、前記レギュレータバルブ１１６と並列に配置され導入ポート２６ａ側から第１共通液圧路１１２側へのブレーキ液の流通を許容する（第１共通液圧路１１２側から導入ポート２６ａ側へのブレーキ液の流通を阻止する）第１チェックバルブ１１８と、第１共通液圧路１１２と第１導出ポート２８ａとの間に配置されたノーマルオープンタイプのソレノイドバルブからなる第１インバルブ１２０と、前記第１インバルブ１２０と並列に配置され第１導出ポート２８ａ側から第１共通液圧路１１２側へのブレーキ液の流通を許容する（第１共通液圧路１１２側から第１導出ポート２８ａ側へのブレーキ液の流通を阻止する）第２チェックバルブ１２２と、第１共通液圧路１１２と第２導出ポート２８ｂとの間に配置されたノーマルオープンタイプのソレノイドバルブからなる第２インバルブ１２４と、前記第２インバルブ１２４と並列に配置され第２導出ポート２８ｂ側から第１共通液圧路１１２側へのブレーキ液の流通を許容する（第１共通液圧路１１２側から第２導出ポート２８ｂ側へのブレーキ液の流通を阻止する）第３チェックバルブ１２６とを備える。
【００５８】
さらに、ＶＳＡ装置１８は、第１導出ポート２８ａと第２共通液圧路１１４との間に配置されたノーマルクローズタイプのソレノイドバルブからなる第１アウトバルブ１２８と、第２導出ポート２８ｂと第２共通液圧路１１４との間に配置されたノーマルクローズタイプのソレノイドバルブからなる第２アウトバルブ１３０と、第２共通液圧路１１４に接続されたリザーバ１３２と、第１共通液圧路１１２と第２共通液圧路１１４との間に配置されて第２共通液圧路１１４側から第１共通液圧路１１２側へのブレーキ液の流通を許容する（第１共通液圧路１１２側から第２共通液圧路１１４側へのブレーキ液の流通を阻止する）第４チェックバルブ１３４と、前記第４チェックバルブ１３４と第１共通液圧路１１２との間に配置されて第２共通液圧路１１４側から第１共通液圧路１１２側へブレーキ液を供給するポンプ１３６と、前記ポンプ１３６の前後に設けられる吸入弁１３８及び吐出弁１４０と、前記ポンプ１３６を駆動するモータＭと、第２共通液圧路１１４と導入ポート２６ａとの間に配置されるサクションバルブ１４２とを備える。
【００５９】
なお、第１ブレーキ系１１０ａにおいて、導入ポート２６ａに近接する液圧路上には、モータシリンダ装置１６の出力ポート２４ａから出力され、前記モータシリンダ装置１６の第１液圧室９８ａで発生したブレーキ液圧を検知する圧力センサＰｈが設けられる。各圧力センサＰｍ、Ｐｐ、Ｐｈで検出された検出信号は、図示しない制御手段に導入される。
本実施形態に係る車両用ブレーキシステム１０は、基本的に以上のように構成されるものであり、次にその作用効果について説明する。
【００６０】
車両用ブレーキシステム１０が正常に機能する正常時には、ノーマルオープンタイプのソレノイドバルブからなる第１遮断弁６０ａ及び第２遮断弁６０ｂが励磁で弁閉状態となり、ノーマルクローズタイプのソレノイドバルブからなる第３遮断弁６２が励磁で弁開状態となる（図２参照）。従って、第１遮断弁６０ａ及び第２遮断弁６０ｂによって第１液圧系統７０ａ及び第２液圧系統７０ｂが遮断されているため、入力装置１４のマスタシリンダ３４で発生したブレーキ液圧がディスクブレーキ機構３０ａ〜３０ｄのホイールシリンダ３２ＦＲ、３２ＲＬ、３２ＲＲ、３２ＦＬに伝達されることはない。
【００６１】
このとき、マスタシリンダ３４の第２圧力室５６ｂで発生したブレーキ液圧は、分岐液圧路５８ｃ及び弁開状態にある第３遮断弁６２を経由してストロークシミュレータ６４の液圧室６５に伝達される。この液圧室６５に供給されたブレーキ液圧によってシミュレータピストン６８がリターンスプリング６６ａ、６６ｂのばね力に抗して変位することにより、ブレーキペダル１２のストロークが許容されると共に、擬似的なペダル反力を発生させてブレーキペダル１２に付与される。この結果、運転者にとって違和感のないブレーキフィーリングが得られる。
【００６２】
このようなシステム状態において、図示しない制御手段は、運転者によるブレーキペダル１２の踏み込みを検出すると、モータシリンダ装置１６の電動モータ７２を駆動させてアクチュエータ機構７４を付勢し、第１リターンスプリング９６ａ及び第２リターンスプリング９６ｂのばね力に抗して第１スレーブピストン８８ａ及び第２スレーブピストン８８ｂを図２中の矢印Ｘ１方向に向かって変位させる。この第１スレーブピストン８８ａ及び第２スレーブピストン８８ｂの変位によって第１液圧室９８ａ及び第２液圧室９８ｂ内のブレーキ液圧がバランスするように加圧されて所望のブレーキ液圧が発生する。
【００６３】
このモータシリンダ装置１６における第１液圧室９８ａ及び第２液圧室９８ｂのブレーキ液圧は、ＶＳＡ装置１８の弁開状態にある第１、第２インバルブ１２０、１２４を介してディスクブレーキ機構３０ａ〜３０ｄのホイールシリンダ３２ＦＲ、３２ＲＬ、３２ＲＲ、３２ＦＬに伝達され、前記ホイールシリンダ３２ＦＲ、３２ＲＬ、３２ＲＲ、３２ＦＬが作動することにより各車輪に所望の制動力が付与される。
【００６４】
換言すると、本実施形態に係る車両用ブレーキシステム１０では、電動ブレーキアクチュエータ（動力液圧源）として機能するモータシリンダ装置１６やバイ・ワイヤ制御する図示しないＥＣＵ等の制御手段が作動可能な正常時において、運転者がブレーキペダル１２を踏むことでブレーキ液圧を発生するマスタシリンダ３４と各車輪を制動するディスクブレーキ機構３０ａ〜３０ｄ（ホイールシリンダ３２ＦＲ、３２ＲＬ、３２ＲＲ、３２ＦＬ）との連通を第１遮断弁６０ａ及び第２遮断弁６０ｂで遮断した状態で、モータシリンダ装置１６が発生するブレーキ液圧でディスクブレーキ機構３０ａ〜３０ｄを作動させるという、いわゆるブレーキ・バイ・ワイヤ方式のブレーキシステムがアクティブになる。このため、本実施形態では、例えば、電気自動車等のように、旧来から用いられていた内燃機関による負圧が存在しない車両に好適に適用することができる。
【００６５】
一方、モータシリンダ装置１６等が作動不能となる異常時では、第１遮断弁６０ａ及び第２遮断弁６０ｂをそれぞれ弁開状態とし、且つ、第３遮断弁６２を弁閉状態としてマスタシリンダ３４で発生するブレーキ液圧をディスクブレーキ機構３０ａ〜３０ｄ（ホイールシリンダ３２ＦＲ、３２ＲＬ、３２ＲＲ、３２ＦＬ）に伝達して、前記ディスクブレーキ機構３０ａ〜３０ｄ（ホイールシリンダ３２ＦＲ、３２ＲＬ、３２ＲＲ、３２ＦＬ）を作動させるという、いわゆる旧来の油圧式のブレーキシステムがアクティブになる。
【００６６】
（入力装置１４）
次に、図３及び図４を参照しながら入力装置１４の構成をより具体的に説明する。図３は、入力装置１４の概略斜視図であり、図２に示す部材と同じものについては、図３及び図４においても同じ符号で表すものとし、その詳細な説明は省略する。
【００６７】
図３（ａ）及び（ｂ）に示すように、入力装置１４は、マスタシリンダ３４と、ストロークシミュレータ６４と、第１リザーバ（リザーバタンク）３６（配管チューブ８６（図２参照）を接続するための接続口３６ａを備えている。）とを、一体となって備えるものである。本実施形態に係る入力装置１４においては、車両の左右方向に、センサバルブユニット３００、マスタシリンダ３４及びストロークシミュレータ６４がこの順で並設され、取り付けプレート（スタッドプレート）３０４に固定されている。
そして、図３（ａ）及び（ｂ）には、入力装置１４のマスタシリンダ３４にブレーキペダル（ブレーキ操作子）１２が接続されたものを示している。
なお、接続口３６ａと第２リザーバ８４（図２参照）とは直接配管チューブ８６で接続されてもよいが、車両の搭載レイアウトに応じて、接続口３６ａと第２リザーバ８４との間に別体タンクを設けることもできる。別体タンクを設ける場合、接続口３６ａは当該別体タンクと接続されることとなる。
【００６８】
また、入力装置１４は、前記のように、マスタシリンダ３４と第１液圧路５８ａ（図２参照）を介して連通している接続ポート２０ａ（第１接続ポート）と、マスタシリンダ３４と第２液圧路５８ｂ（図２参照）を介して連通している接続ポート２０ｂ（第２接続ポート）と、を有している。さらに、図３においては図示していないが、第２液圧路５８ｂから分岐した分岐液圧路５８ｃも入力装置１４は有している。
【００６９】
そして、第１液圧路５８ａ、第２液圧路５８ｂ及び分岐液圧路５８ｃの途中には、図２に示すように第１遮断弁６０ａ、第２遮断弁６０ｂ及び第３遮断弁６２、並びに、圧力センサＰｍ（第１液圧センサ）及び圧力センサＰｐ（第２液圧センサ）が設けられている。
【００７０】
センサバルブユニット３００は、第１遮断弁６０ａ、第２遮断弁６０ｂ及び第３遮断弁６２、並びに、圧力センサＰｍ及び圧力センサＰｐを制御するための電子回路が収納されたものである。センサバルブユニット３００の筐体は樹脂製であり、センサバルブユニット３００の筐体を例えば樹脂のように金属よりも脆弱な部材で構成することにより、入力装置１４が衝撃を受けた際に、当該衝撃をセンサバルブユニット３００の筐体が吸収することができる。また、センサバルブユニット３００を樹脂製とすることで、入力装置１４の軽量化を図ることができる。
また、センサバルブユニット３００は車両下部方向へテーパ形状を有しており、入力装置１４を車両から取り外すときの取り外しが容易な形状となっている。
【００７１】
また、入力装置１４には、少なくともマスタシリンダ３４及びストロークシミュレータ６４内のエアを抜くためのエア抜き用ブリーダ３０１が設けられている。エア抜き用ブリーダ３０１については、図４を参照しながら後述する。
【００７２】
取り付けプレート３０４はマスタシリンダ３４及びストロークシミュレータ６４が一体に並設されて固定されるものであり、車両の上下方向及び左右方向において縁部が湾曲するように形成されている。また、取り付けプレート３０４には、例えばダッシュボードに固定するための固定具３０３が設けられている。
【００７３】
取り付けプレート３０４は、車両の車幅方向の長さが、車両の上下方向の長さよりも長くなっている。このような寸法にすることで、取り付けプレートの車幅方向の長さが長い方向に並設されるようにマスタシリンダ３４及びストロークシミュレータ６４を配置することができる。さらに、ガソリン自動車等に備えられている既存のダッシュボードの固定点を用い、取り付けプレート３０４を固定することができる。
【００７４】
さらに、入力装置１４には、マスタシリンダ３４に付設するように第１リザーバ３６が設けられている。第１リザーバ３６は前後方向に細長の外形を有している。このように、マスタシリンダ３４に第１リザーバ３６が付設されていることにより、構造物搭載室における省スペース化を図ることができる。
【００７５】
図４は、入力装置１４が車両のダッシュボード２に配置されている様子を概略的に示す図である。図４に示すように、入力装置１４はダッシュボード２に固定具（スタッドボルト）３０３によって固定されている。また、入力装置１４が有するマスタシリンダ３４の一部が、車両後方部（即ち車室内）に突出されて配置されるようになっている。
【００７６】
また、入力装置１４は、車両前方向の高さが、車両後方向の高さよりも高い位置になるようにダッシュボード２に固定されている。即ち、入力装置１４をダッシュボード２に固定する際に、エア抜き用ブリーダ３０１の位置が高くなるように入力装置１４が固定されている。なお、例えばマスタシリンダ３４の前方の上方や下方等、マスタシリンダ３４やストロークシミュレータ６４等内のエアが集まる部位や液圧路構成上エアが溜まる部位にエア抜き用ブリーダ３０１が設けられてもよい。
【００７７】
このように、入力装置１４を車両に固定した際に車両前方向の高さが高いように固定されることにより、少なくともマスタシリンダ３４及びストロークシミュレータ６４内のエアをエア抜き用ブリード３０１から抜くことができる。そして、入力装置１４をダッシュボードにこのように配置することにより、ブレーキペダル１２の操作による入力装置１４への入力を、より確実に入力装置１４へ伝達させることができる。
【００７８】
図３及び図４に示すように、入力装置１４においては、マスタシリンダ３４とストロークシミュレータ６４とが一体となって形成されている。入力装置１４がこのような構成を有することで、少なくともマスタシリンダ３４とストロークシミュレータ６４との間の流路を最短のものとすることができ、入力装置１４を小型化することができる。その結果、ガソリン自動車に比べて搭載スペースが限られる電気自動車やハイブリッド自動車等においても本実施形態に係る入力装置１４を搭載することができるため、例えばガソリン自動車、電気自動車、ハイブリッド自動車等で部品の共通化を図ることができ、以って、製造コストの削減を図ることができる。
【００７９】
（その他）
以上、具体的な実施形態を挙げて本実施形態を説明したが、本発明はその要旨を逸脱しない範囲内で任意に変更して実施することができる。
【００８０】
例えば、本実施形態においては、マスタシリンダ３４及びストロークシミュレータ６４を平行となるように並設して設けているが、これらが一体となっていれば必ずしも平行に設ける必要は無い。さらに、これらが必ずしも同一面内に設けられる必要も無い。
【００８１】
また、例えば本実施形態においては、マスタシリンダ３４及びストロークシミュレータ６４を取り付けプレート３０４に固定されるようにしているが、マスタシリンダ３４及びストロークシミュレータ６４が一体となって形成されていれば、これらが取り付けプレート３０４に固定される必要は必ずしも無い。
【００８２】
また、取り付けプレート３０４には、取り付けプレート３０５が肉抜きされた肉抜き部が設けられていてもよい。このような肉抜き部が設けられることにより、車両の軽量化を図ることができる。
【００８３】
また、マスタシリンダ３４やストロークシミュレータ６４、モータシリンダ装置１６等の具体的な構成も特に制限されず、本発明の効果を著しく損なわない限り任意に決定できる。その他の構成についても、本発明の効果を著しく損なわない限り任意に変更することができることは言うまでもない。
【符号の説明】
【００８４】
１      サイドフレーム（車体）
２      ダッシュボード
１０    車両用ブレーキシステム
１４    入力装置
１６    モータシリンダ装置（電動ブレーキアクチュエータ）
１８    ＶＳＡ装置
２０ａ  接続ポート（第１接続ポート）
２０ｂ  接続ポート（第２接続ポート）
３４    マスタシリンダ
３６    第１リザーバ（リザーバタンク）
５８ａ  第１液圧路
５８ｂ  第２液圧路
５８ｃ  分岐液圧路
６０ａ  第１遮断弁
６０ｂ  第２遮断弁
６２    第３遮断弁
６４    ストロークシミュレータ
３００  センサバルブユニット
３０１  エア抜き用ブリーダ
３０３  固定具
３０４  取り付けプレート
Ｐｍ    圧力センサ（第１液圧センサ）
Ｐｐ    圧力センサ（第２液圧センサ）
【図１】
0005364077.tif 000002
【図２】
0005364077.tif 000003
【図３】
0005364077.tif 000004
【図４】
0005364077.tif 000005